(57)【要約】【課題】  小型化および扁平化に適したトリガ−トランスなどの小形巻線部品を提供すること。【解決手段】  フェライト粉末を圧縮成型して焼結した角棒状フェライトコア１と、この角棒状フェライトコア１の両端部に合成樹脂の射出成型により形成した端子部２とよりなる端子部付き角棒状フェライトコアを具備し、両端子部２の間の角棒状フェライトコア１に巻線４したものである。この角棒状フェライトコア１は、板状であって厚み方向にほぼ均一な密度に圧縮成型して焼結したものである。【選択図】      図１
2006294874.tif 000002
【特許請求の範囲】
【請求項１】
フェライト粉末を圧縮成型して焼結した角棒状フェライトコアと、該角棒状フェライトコアの両端部に合成樹脂の射出成型により形成した端子部とよりなる端子部付き角棒状フェライトコアを具備し、両端子部の間の角棒状フェライトコアに巻線したことを特徴とする小形巻線部品。
【請求項２】
角棒状フェライトコアは、板状であって厚み方向にほぼ均一な密度に圧縮成型して焼結したものであることを特徴とする請求項１に記載の小形巻線部品。
【請求項３】
両端子部の間の角棒状フェライトコアの側面に合成樹脂層を一体成型したことを特徴とする請求項１に記載の小形巻線部品。
【発明の詳細な説明】
【技術分野】
【０００１】
この発明は、電気絶縁性フェライトコアを有する小形巻線部品に関し、特に、写真撮影用の閃光放電発光器に用いるトリガ−トランスなどに適した小形巻線部品に関するものである。
【背景技術】
【０００２】
閃光放電発光器付きデジタルカメラの小型化や、閃光放電発光器付きデジタルカメラを携帯電話に組み込むために、トリガ−トランスの小型化が求められている。トリガ−トランスのさらなる小型化のために、筒形のボビンを使用することなく絶縁性フェライトコアに直接コイルを巻回した小形巻線部品が、下記特許文献１に開示されている。
【特許文献１】特開２００３−２９７６５２号公報
【発明の開示】
【発明が解決しようとする課題】
【０００３】
このような絶縁性フェライトコアに直接コイルを巻回する小形巻線部品においては、ボビンを使用しないので、フェライトコアに端子を設ける部分を形成したり、巻回するコイルの両端には鍔部を形成しなければならない。
【０００４】
このように、ボビンを使用しないで、コイルを巻回する絶縁性フェライトコアにおいては、コイルを巻回する部分は断面積が小さく、鍔部分および端子部分は断面積が大きくなるように、断面積が部分的に大きく相違している。
【０００５】
フェライト粉末を圧縮成型するとき、断面積が小さい部分も大きい部分も金型のストロークが同じであるから、断面積が小さい部分は密度が高く圧縮され、断面積が大きい部分は密度が低く圧縮されて、均一な密度に圧縮成型することはできない。
【０００６】
このような不均一な密度で圧縮成型された成型体を焼結すると、高密度の部分は収縮率が小さく、低密度の部分は収縮率が大きいので、焼結時に変形したり捻れたりして、寸法精度が悪く、しかも、歩留りが悪かった。また、複雑な形状のものを圧縮成型するとバリができ易かった。そこで、この発明は、このような問題点を解決して小型化および扁平化に適した小形巻線部品を提供するために考えられたものである。
【課題を解決するための手段】
【０００７】
この発明の小形巻線部品は、フェライト粉末を圧縮成型して焼結した角棒状フェライトコアと、この角棒状フェライトコアの両端部に合成樹脂の射出成型により形成した端子部とよりなる端子部付き角棒状フェライトコアを具備し、両端子部の間の角棒状フェライトコアに巻線したものである。
【発明の効果】
【０００８】
この発明の小形巻線部品によると、角棒状フェライトコアには板状であって厚み方向にほぼ均一な密度に圧縮成型して焼結したものを使用しているので磁気特性にバラツキがなく、かつ寸法精度がよく、たとえ多少の変形や捻れがあっても、この角棒状フェライトコアの両端に合成樹脂の射出成型により端子部を形成しているから、完成した小形巻線部品の表面実装に必要な寸法精度は、合成樹脂を射出成型する金型にきまる。
【０００９】
このように、射出成型の金型の寸法精度を正確に製作しておけば、プリント基板の高密度な表面実装に適した小形巻線部品を製造することができる。
【発明を実施するための最良の形態】
【００１０】
この発明の小形巻線部品は、図２に示すように、断面形状が扁平なコイルを巻回する角棒状フェライトコア１の両端に、合成樹脂を射出成型して端子部および鍔部を形成した端子部付き角棒状フェライトコアに巻線する。
【００１１】
角棒状フェライトコア１は、フェライト粉末を圧縮成型して焼結したものであって、図３（ａ）の平面図に示すように、中間の巻線を施す部分11と、中央に窪み13を形成して両側部14、14を外向きに拡げた両端の結合部12とにより構成され、図３（ｂ）の正面図に示すように、全体の厚みは均一に成型されている。したがって、密度が全体にわたって均一であるから焼結したとき、変形したり捻れることはない。
【００１２】
一対の端子部２は、金型（図示せず）にフェライトコア１に入れて、フェライトコア１の両結合部12の表面を金型に合わせ、両結合部12の窪み13を金型のピンに合わせて、位置決めした状態で合成樹脂を射出成型したものである。
【００１３】
図２に示すように、両端子部２の頂面にフェライトコア１の結合部12の表面を露出させた状態で埋設している。なお、図２に示す穴27は、金型の位置決め用ピンの痕跡である。
【００１４】
図２（ａ）の平面図に示すように、フェライトコア１の結合部12は、両側部14、14が外向きに拡がっているので、射出成型された端子部２よりフェライトコア１が抜け出すことはない。端子部２の側面に形成されたＶ字形の溝26は、コイルを巻回するときに、チャックで掴むための溝である。
【００１５】
そして、両端子部２の端面の近傍には、頂面より底面に貫通する端子片挿入用の２つの角穴21があけられている。さらに、各角穴21の下端部には、折り曲げた端子片３の下端部33を収める窪み22が外向きに形成されている。
【００１６】
一対の端子部２の対向する内面23は、鍔部の下部を形成し、鍔部の上部24は、端子部２と一体に成型されたもので、露出したフェライトコア１の結合部12を覆って跨るように形成されている。
【００１７】
さらに、一対の端子部２の間に存在するフェライトコア１の両側面には、一対の端子部２に連続して一体成型された合成樹脂層25で覆われ、特に巻回された巻線をフェライトコア１の角部から保護している。しかし、フェライトコア１の上下両面には、小形巻線部品の高さを低くして扁平化するために、合成樹脂層で覆うことなく露出させている。
【００１８】
端子部２の各角穴21に挿入する端子片３は、図４（ａ）の平面図に示すように金属板を打抜き加工したもので、幅の広い中間部32と、幅を狭めた下端部33と、線材を巻き付けてハンダ付けするＴ字形の頂部31とにより構成され、図４（ｂ）の側面図に示すように下端部33をほぼ直角に折り曲げたものであって、Ｔ字形の頂部31の幅は、中間部32の幅よりも狭く設定されている。
【００１９】
図１に示すように、加工した端子片３を、端子部２の底面側からＴ字形の頂部31を上にして端子部２の角穴21に挿通して、直角に折り曲げた下端部33が、端子部２の窪み22に収まるまで押し込んで固定する（図１参照）。
【００２０】
このように組立てられた端子部付き角棒状フェライトコアに巻線をする際には、端子片３のＴ字形の頂部31に巻線４の始端を巻き付けて二次巻線を巻回し、終端を他の端子片３のＴ字形の頂部31に巻き付ける。巻回した二次巻線に絶縁テープを巻き付けた後、その上に巻数の少ない一次巻線を同様に巻回したのち、端子片３の頂部31に半田付けして、図１に示す小形巻線部品を完成することができる。
【００２１】
閃光放電発光器のトリガ−トランスにおいては、数千ボルトの高電圧パルスを発生させなければならないので、二次巻線には、特許第２７２７４６２号公報に開示されているようなフェライトコア１の軸方向に対して傾斜して積層するように巻線を施す巻線方法によることが好ましい。
【００２２】
以上で説明した実施に形態においては、端子部付き角棒状フェライトコアが点対称であるが、一次巻線および二次巻線の一端を共通接続して３端子の非対称形にして、プリント基板の表面に実装する際に実装方向を誤ることがないように構成してもよいのである。
【図面の簡単な説明】
【００２３】
【図１】この発明の小形巻線部品の実施の形態を示す平面図（ａ）、正面図（ｂ）、底面図（ｃ）および側面図（ｄ）、
【図２】この発明の小形巻線部品における端子部付き角棒状フェライトコアの平面図（ａ）、正面図（ｂ）および側面図（ｃ）、
【図３】この発明の小形巻線部品で使用する角棒状フェライトコアの平面図（ａ）および正面図（ｂ）、
【図４】この発明の小形巻線部品で使用する端子片の平面図（ａ）および側面図（ｂ）である。
【符号の説明】
【００２４】
１  角棒状フェライトコア
２  端子部
３  端子片
４  巻線
11  フェライトコアの巻線部分
12  結合部
13  窪み
14  側部
21  角穴
22  窪み
23  対向する内面
24  鍔部の上部
25  合成樹脂層
31  Ｔ字形部
32  中間部
33  下端部
【図１】
2006294874.tif 000003
【図２】
2006294874.tif 000004
【図３】
2006294874.tif 000005
【図４】
2006294874.tif 000006